(57)【特許請求の範囲】
【請求項１】
記録すべき情報を被記録材に記録する記録部から搬送されてきた被記録材を記録装置の外部に案内して排紙する排紙板を備えている記録装置の手動切断装置であって，
前記記録装置とは別体の装置として設けられ，操作者が手動により操作して前記被記録材を切断する手動カッタ装置と，前記排紙板に形成され，前記被記録材を切断する方向に，前記手動カッタ装置の手動による操作を案内する案内溝とを備え，
前記案内溝が，前記被記録材の搬送方向上流側に案内方向に沿って形成された，前記排紙板の表面からほぼ垂直に下降した第１の側面部と，当該第１の側面部の下端から搬送方向下流側に向けて次第に高くなり，前記排紙板の表面と同じ高さで前記表面と連接する第１の斜面部とを備え，
前記手動カッタ装置が，円周端に刃が形成され，その中心軸を回転軸線として回転自在な円盤状の回転刃と，当該回転刃を保持する保持部材と，前記回転刃の円周端よりも径方向外部に当該円周端の少なくとも一部を覆うように形成され，手動による当該手動カッタ装置の操作の際には前記案内溝に嵌め込まれて，当該案内溝を摺動する案内部材とを備え，
前記手動カッタ装置の前記案内部材が，前記回転刃の２つの円盤面のうち前記案内溝の前記第１の側面部に対向して配置される第１の円盤面とほぼ同じ高さの面として形成された側部と，当該側部から前記回転刃の円周端外側を経由して前記第１の円盤面の裏側にある第２の円盤面の側に伸び，当該第２の円盤面の高さよりも突出して形成された底部と，前記側部を前記案内溝の前記第１の側面部に対向接触させ当該案内部材を前記案内溝に嵌め込み，かつ，前記回転刃の一部が前記案内溝に嵌まり込む状態で，前記第１の斜面部に当接する当接部とを備え，
前記案内部材と前記保持部材との間には，前記側部を前記案内溝の前記第１の側面部に対向接触させ，かつ，前記当接部を前記第１の斜面部に当接させて，前記案内部材を前記案内溝に嵌め込んだ状態で，前記排紙板の前記表面とほぼ同じ高さの位置に，被記録材を前記回転刃の刃に案内するための間隙が形成され，
前記側部を前記案内溝の前記第１の側面部に対向接触させ，かつ，前記当接部を前記第１の斜面部に当接させて，前記案内部材を前記案内溝に嵌め込むことにより，前記第１の円盤面と前記第１の側面部とが密着するように構成されていることを特徴とする手動切断装置。
【請求項２】
請求項１に記載の手動切断装置において，前記案内溝が，前記第１の側面部の下端から搬送方向下流側に向けて次第に深くなる第２の斜面部をさらに備え，
前記案内溝の前記第１の斜面部が，前記第２の斜面部の底から搬送方向下流側に向けて次第に高くなるものであり，
前記案内部材が，前記側部が前記案内溝の前記第１の側面部と対向接触し，かつ，前記側部の下端が前記案内溝の前記第１の側面部と前記第２の斜面部との連接部分に当接した状態で，前記回転刃の一部が前記案内溝に嵌まり込み，かつ，前記当接部が前記第１の斜面部に当接するように形成されているとともに，当該状態で，前記間隙が，前記排紙板の前記表面とほぼ同じ高さの位置になる，ことを特徴とする手動切断装置。
【請求項３】
請求項１に記載の手動切断装置において，前記案内溝が，前記第１の側面部の底から搬送方向下流側に向けて前記表面とほぼ平行に形成された底面部と，当該底面部の下流側の端部から前記表面とほぼ垂直に立ち上がり，その高さが前記第１の側面部よりも低い第２の側面部とをさらに備え，
前記案内溝の前記第１の斜面部が，前記第２の側面部の上端から搬送方向下流側に向けて次第に高くなるものであり，
前記案内部材の前記底部が，前記側部に対してほぼ垂直な平面として形成され，前記案内部材の前記当接部が，当該底部の端部として形成され，
前記案内部材を，前記側部を前記案内溝の前記第１の側面部と対向接触させて，前記案内溝に嵌め込んだ場合に，前記底部が前記案内溝の前記底面部と接触し，かつ，前記当接部が前記第２の側面部と当接するように，前記底部における前記側部から前記当接部に至る距離が設定されるとともに，この状態で，前記回転刃の一部が前記案内溝に嵌まり込み，かつ，前記間隙が，前記排紙板の前記表面とほぼ同じ高さの位置になる，ことを特徴とする手動切断装置。
【請求項４】
請求項１から３のいずれか１項に記載の手動切断装置を備えていることを特徴とする記録装置。
【請求項５】
請求項４に記載の記録装置において，前記記録部が前記被記録材を搬送する搬送ローラを備え，
前記搬送ローラは，記録終了後，前記被記録材の記録終了位置または当該記録終了位置よりも搬送方向上流側近傍位置が前記案内溝の位置に配置されるように，前記被記録材を搬送し停止するものである，ことを特徴とする記録装置。
【請求項６】
請求項５に記載の記録装置において，操作者が前記搬送ローラによる記録終了後における前記被記録材の搬送および停止を前記記録装置に指示する搬送指示手段をさらに備え，
前記搬送ローラが，前記搬送指示手段による指示に応じて，前記被記録材の記録終了後における前記被記録材の搬送および停止を行うものである，ことを特徴とする記録装置。
【請求項７】
請求項５または６に記載の記録装置において，前記搬送ローラによる記録終了後における前記被記録材の搬送および停止の後，操作者が前記被記録材の位置の搬送方向上流側または下流側への調整を前記記録装置に指示する調整指示手段をさらに備え，
前記搬送ローラが，前記調整指示手段による指示に応じて，前記被記録材を，前記被記録材の記録終了後における前記被記録材の搬送量よりも小さな搬送量で，前記被記録材を搬送方向上流側または下流側に搬送し停止するものである，ことを特徴とする記録装置。
【請求項８】
請求項５または６に記載の記録装置において，前記搬送ローラが，操作者による手動切断の後，被記録材の切り離された側でない側の先端を前記記録部の記録開始位置に戻すものである，ことを特徴とする記録装置。
【請求項９】
請求項１から３のいずれか１項に記載の手動カッタ装置であって，前記対応する請求項に記載の手動切断装置に備えられていることを特徴とする手動カッタ装置。
【発明の詳細な説明】
【０００１】
【発明の属する技術分野】
本発明は，プリンタ，ファクシミリ，複写機等の記録装置の記録部で記録された印刷用紙等の被記録材が搬送されてくる排紙部に設けられた排紙板上で，操作者が手動により手動カッタ装置を操作して被記録材を切断する手動切断装置に関する。また，本発明は，この手動切断装置を備えた記録装置およびこの手動切断装置に備えられた手動カッタ装置に関する。
【０００２】
【従来の技術】
プリンタ，ファクシミリ，複写機等の記録装置には，記録された印刷用紙を所定の長さに自動的に切断する自動切断装置（オートカッタ）が設けられているものがある。図１４は，従来のプリンタに設けられた自動切断装置７０を示し，同図（ａ）は正面図を，同図（ｂ）は斜視図を，それぞれ示している。
【０００３】
このプリンタでは，図１４（ａ）の紙面に対して垂直に形成された水平な排紙面８０上を，印刷用紙（図示略）が，紙面の裏から表に向かう方向に排紙されてくる。排紙されてきた印刷用紙は，排紙板８０の下流側端部（図１４（ａ）の手前側端部）８１から下方に垂れ下がるようになっている。
【０００４】
自動切断装置７０は，印刷用紙を切断する場合にのみキャリッジ（図示略）に連結され，キャリッジとともにガイド軸７２に沿って主走査方向（印刷用紙の幅方向）に移動するように構成されている。すなわち，自動切断装置７０の移動には，キャリッジの主走査方向への駆動力が利用されている。
【０００５】
自動切断装置７０には，回転刃（ロータリー刃）７１が回転自在に取り付けられている。この回転刃７１は，排紙板８０の下流側端部８１に圧接されるように，コイル・バネ７３により付勢されている。したがって，自動切断装置７０が主走査方向に移動すると，下流側端部８１から下方に垂れ下がっている印刷用紙は，回転刃７１により下流側端部８１に沿って切断される。切断された印刷用紙は，下流側端部８１の下方に設けられた排紙受け装置９０に受け取られる。
【０００６】
【発明が解決しようとする課題】
しかし，従来の自動切断装置７０は，キャリッジと連結させる機構やバネ７３等が必要となり，この自動切断装置７０のみならず，これを有するプリンタ（記録装置）自体の構造が複雑化する。また，プリンタは，キャリッジのほかに自動切断装置７０を備えているので，プリンタ自体が大型化する。さらに，回転刃７１がバネ７３で付勢される構成となっているので，回転刃７１の切れ味が劣化した場合等における回転刃７１交換が行いにくい。
【０００７】
本発明は，このような背景に鑑みなされたものであり，その目的は，簡単な構造により印刷用紙を切断することができ，また記録装置の大型化および構造の複雑化を回避できる手動切断装置を提供することにある。
【０００８】
【課題を解決するための手段】
前記目的を達成するために，本願請求項１に記載の発明に係る手動切断装置は，記録すべき情報を被記録材に記録する記録部から搬送されてきた被記録材を記録装置の外部に案内して排紙する排紙板を備えている記録装置の手動切断装置であって，前記記録装置とは別体の装置として設けられ，操作者が手動により操作して前記被記録材を切断する手動カッタ装置と，前記排紙板に形成され，前記被記録材を切断する方向に，前記手動カッタ装置の手動による操作を案内する案内溝とを備え，前記案内溝が，前記被記録材の搬送方向上流側に案内方向に沿って形成された，前記排紙板の表面からほぼ垂直に下降した第１の側面部と，当該第１の側面部の下端から搬送方向下流側に向けて次第に高くなり，前記排紙板の表面と同じ高さで前記表面と連接する第１の斜面部とを備え，前記手動カッタ装置が，円周端に刃が形成され，その中心軸を回転軸線として回転自在な円盤状の回転刃と，当該回転刃を保持する保持部材と，前記回転刃の円周端よりも径方向外部に当該円周端の少なくとも一部を覆うように形成され，手動による当該手動カッタ装置の操作の際には前記案内溝に嵌め込まれて，当該案内溝を摺動する案内部材とを備え，前記手動カッタ装置の前記案内部材が，前記回転刃の２つの円盤面のうち前記案内溝の前記第１の側面部に対向して配置される第１の円盤面とほぼ同じ高さの面として形成された側部と，当該側部から前記回転刃の円周端外側を経由して前記第１の円盤面の裏側にある第２の円盤面の側に伸び，当該第２の円盤面の高さよりも突出して形成された底部と，前記側部を前記案内溝の前記第１の側面部に対向接触させて当該案内部材を前記案内溝に嵌め込み，かつ，前記回転刃の一部が前記案内溝に嵌まり込む状態で，前記第１の斜面部に当接する当接部とを備え，前記案内部材と前記保持部材との間には，前記側部を前記案内溝の前記第１の側面部に対向接触させ，かつ，前記当接部を前記第１の斜面部に当接させて，前記案内部材を前記案内溝に嵌め込んだ状態で，前記排紙板の前記表面とほぼ同じ高さの位置に，被記録材を前記回転刃の刃に案内するための間隙が形成されている，ことを特徴とする。
【０００９】
ここで，「被記録材」には，印刷用紙，コピー用紙，ＦＡＸ用紙等が含まれ，また，ロール紙のほかに単票紙も含まれる。また，「記録装置」には，プリンタ，ファクシミリ，複写機等が含まれる。
【００１０】
本願請求項１に記載の発明に係る手動切断装置によると，手動カッタ装置の案内部材を，その側部を案内溝の第１の側面部に対向接触させて嵌め込み，当接部を第１の斜面部に当接させると，手動カッタ装置の回転刃の第１の円盤面は，案内溝の第１の側面部に対向接触する。したがって，操作者が，手動カッタ装置を案内溝に嵌め込んで，案内溝の方向に手動カッタ装置を摺動させると，被記録材は，手動カッタ装置の回転刃により案内溝の第１の側面部に沿って切断される。また，回転刃の第１の円盤面は，案内溝の第１の側面部に対抗接触しているので，手動カッタ装置を案内溝に沿って摺動させることにより容易に被記録材の切断を行うことができる。
【００１１】
また，案内溝が第１の斜面部を備えているので，案内部材を案内溝の第１の側面部に沿って嵌め込む力（すなわち排紙板の表面と垂直であって案内溝の底に向かう方向の力）は，第１の斜面部によって，案内部材の側部を第１の側面部に押圧させる力に分解される。この分解された力（すなわち分力）によって，案内部材の側部および回転刃の第１の円盤面は案内溝の第１の側面部に押圧される。これにより，案内部材を案内溝の第１の側面部に沿って嵌め込むだけで，回転刃の第１の円盤面を案内溝の第１の側面部に当接（押圧）させることができる。その結果，前述したように，被記録材の切断が容易となる。
【００１２】
さらに，案内部材と保持部材との間には，被記録材を回転刃に案内するための間隙が形成され，かつ，この間隙は，案内部材を案内溝に嵌め込んだ状態で，排紙板の表面とほぼ同じ高さの位置に形成されている。したがって，手動カッタ装置を案内溝に沿って摺動させる際に，被記録材を回転刃に確実に案内して切断することができる。
【００１３】
そして，本願請求項１に記載の発明に係る手動切断装置によると，手動カッタ装置は，記録装置とは別体の装置として設けられ，また，手動による操作であるので，キャリッジとの連結機構等は不要となる。これにより，記録装置の大型化および構造の複雑化を回避できる。また，排紙板に設けられた案内溝と手動カッタ装置という簡単な構造によって被記録材を切断することができる。
【００１４】
本願請求項２に記載の発明に係る手動切断装置は，請求項１において，前記案内溝が，前記第１の側面部の下端から搬送方向下流側に向けて次第に深くなる第２の斜面部をさらに備え，前記案内溝の前記第１の斜面部が，前記第２の斜面部の底から搬送方向下流側に向けて次第に高くなるものであり，前記案内部材が，前記側部が前記案内溝の前記第１の側面部と対向接触し，かつ，前記側部の下端が前記案内溝の前記第１の側面部と前記第２の斜面部との連接部分に当接した状態で，前記回転刃の一部が前記案内溝に嵌まり込み，かつ，前記当接部が前記第１の斜面部に当接するように形成されているとともに，当該状態で，前記間隙が，前記排紙板の前記表面とほぼ同じ高さの位置になる，ことを特徴とする。
【００１５】
本願請求項２に記載の発明に係る手動切断装置によると，手動カッタ装置の案内部材を，その側部を案内溝の第１の側面部に対向接触させて嵌め込んで，側部の下端を案内溝の第１の側面部と第２の斜面部との連接部分に当接させ，かつ，当接部を第１の斜面部に当接させると，手動カッタ装置の回転刃の第１の円盤面は，案内溝の第１の側面部に対向接触する。したがって，操作者が，手動カッタ装置を案内溝に嵌め込んで，案内溝の方向に手動カッタ装置を摺動させると，被記録材は，手動カッタ装置の回転刃により案内溝の第１の側面部に沿って切断される。また，回転刃の第１の円盤面は，案内溝の第１の側面部に対抗接触しているので，手動カッタ装置を案内溝に沿って摺動させることにより容易に被記録材の切断を行うことができる。
【００１６】
また，前述した本願請求項１に記載の発明に係る手動切断装置と同様に，案内溝が第１の斜面部を備えているので，案内部材を案内溝の第１の側面部に沿って嵌め込む力は，第１の斜面部によって，案内部材の側部を第１の側面部に押圧させる力に分解される。この分解された力（すなわち分力）によって，案内部材の側部および回転刃の第１の円盤面は案内溝の第１の側面部に押圧される。これにより，案内部材を案内溝の第１の側面部に沿って嵌め込むだけで，回転刃の第１の円盤面を案内溝の第１の側面部に当接（押圧）させることができる。その結果，前述したように，被記録材の切断が容易となる。
【００１７】
さらに，案内部材と保持部材との間には，被記録材を回転刃に案内するための間隙が形成され，かつ，この間隙は，案内部材を案内溝に嵌め込んだ状態で，排紙板の表面とほぼ同じ高さの位置に形成されている。したがって，手動カッタ装置を案内溝に沿って摺動させる際に，被記録材を回転刃に確実に案内して切断することができる。
【００１８】
またさらに，第２の斜面部を備えることにより，案内部材の側部の下端が案内溝の第１の側面部と第２の斜面部との連接部分に当接するので，手動カッタ装置の摺動操作中に，案内部材の側部と案内溝の第１の側面部との対向接触状態を安定させることができる。その結果，被記録材の切断面が案内溝方向から逸れたり，あるいは，切断されない箇所が生じるということがなく，被記録材を案内溝に沿って安定して切断することができる。
【００１９】
本願請求項３に記載の発明に係る手動切断装置は，請求項１において，前記案内溝が，前記第１の側面部の底から搬送方向下流側に向けて前記表面とほぼ平行に形成された底面部と，当該底面部の下流側の端部から前記表面とほぼ垂直に立ち上がり，その高さが前記第１の側面部よりも低い第２の側面部とをさらに備え，前記案内溝の前記第１の斜面部が，前記第２の側面部の上端から搬送方向下流側に向けて次第に高くなるものであり，前記案内部材の前記底部が，前記側部に対してほぼ垂直な平面として形成され，前記案内部材の前記当接部が，当該底部の端部として形成され，前記案内部材を，前記側部を前記案内溝の前記第１の側面部と対向接触させて，前記案内溝に嵌め込んだ場合に，前記底部が前記案内溝の前記底面部と接触し，かつ，前記当接部が前記第２の側面部と当接するように，前記底部における前記側部から前記当接部に至る距離が設定されるとともに，この状態で，前記回転刃の一部が前記案内溝に嵌まり込み，かつ，前記間隙が，前記排紙板の前記表面とほぼ同じ高さの位置になる，ことを特徴とする。
【００２０】
本願請求項３に記載の発明に係る手動切断装置によると，手動カッタ装置の案内部材を，その側部を案内溝の第１の側面部に対向接触させて嵌め込むと，案内部材の底部が案内溝の底面部と接触するとともに，案内部材の当接部が案内溝の第２の側面部に当接する。これにより，手動カッタ装置を案内溝に安定して摺動させることができる。また，手動カッタ装置の回転刃の第１の円盤面は，案内溝の第１の側面部に対向接触するので，手動カッタ装置を案内溝の方向に摺動させることにより，被記録材は，手動カッタ装置の回転刃により案内溝の第１の側面部に沿って切断される。
【００２１】
また，案内溝が第２の側面部を備え，当接部が当該第２の側面部に当接することにより，案内部材の側部および回転刃の第１の円盤面は，案内溝の第１の側面部に当接する。これにより，案内部材を案内溝の第１の側面部に沿って嵌め込むだけで，回転刃の第１の円盤面を案内溝の第１の側面部に当接させることができ，その結果，前述したように，被記録材の切断が容易となる。
【００２２】
さらに，案内部材と保持部材との間には，被記録材を回転刃に案内するための間隙が形成され，かつ，この間隙は，案内部材を案内溝に嵌め込んだ状態で，排紙板の表面とほぼ同じ高さの位置に形成されている。したがって，手動カッタ装置を案内溝に沿って摺動させる際に，被記録材を回転刃に確実に案内して切断することができる。
【００２３】
本願請求項４に記載の発明に係る記録装置は，請求項１から３のいずれか１項に記載の手動切断装置を備えていることを特徴とする。
ここで，「記録装置」には，プリンタ，ファクシミリ，複写機等が含まれる。
【００２４】
本願請求項４に記載の発明に係る記録装置によると，記録装置において，前述した本願請求項１から３のいずれか１項に記載の作用効果を得ることができる。
【００２５】
本願請求項５に記載の発明に係る記録装置は，請求項４において，前記記録部が前記被記録材を搬送する搬送ローラを備え，前記搬送ローラは，記録終了後，前記被記録材の記録終了位置または当該記録終了位置よりも搬送方向上流側近傍位置が前記案内溝の位置に配置されるように，前記被記録材を搬送し停止するものである，ことを特徴とする。
【００２６】
本願請求項５に記載の発明に係る記録装置によると，記録終了後，被記録材の記録終了位置または当該記録終了位置よりも搬送方向上流側近傍位置が案内溝の位置に配置されるので，操作者による手動切断操作が容易となる。
なお，被記録材の記録終了位置または当該記録終了位置よりも搬送方向上流側近傍位置が案内溝の位置に配置されるようにするための搬送量は，記録終了位置と案内溝の位置があらかじめ判明していることから，あらかじめ求めておくことができる。したがって，あらかじめ求めて記録装置に記憶させておくことにより，記録装置が自動的に行うことができる。
【００２７】
本願請求項６に記載の発明に係る記録装置は，請求項５において，操作者が前記搬送ローラによる記録終了後における前記被記録材の搬送および停止を前記記録装置に指示する搬送指示手段をさらに備え，前記搬送ローラが，前記搬送指示手段による指示に応じて，前記被記録材の記録終了後における前記被記録材の搬送および停止を行うものである，ことを特徴とする。
本願請求項６に記載の発明によると，搬送ローラが，搬送指示手段による指示に応じて，被記録材の記録終了後における被記録材の搬送および停止を行うので，操作者の意思に基づいた操作が可能となる。
【００２８】
本願請求項７に記載の発明に係る記録装置は，請求項５または６において，前記搬送ローラによる記録終了後における前記被記録材の搬送および停止の後，操作者が前記被記録材の位置の搬送方向上流側または下流側への調整を前記記録装置に指示する調整指示手段をさらに備え，前記搬送ローラが，前記調整指示手段による指示に応じて，前記被記録材を，前記被記録材の記録終了後における前記被記録材の搬送量よりも小さな搬送量で，前記被記録材を搬送方向上流側または下流側に搬送し停止するものである，ことを特徴とする。
【００２９】
本願請求項７に記載の発明に係る記録装置によると，搬送ローラが，調整指示手段による指示に応じて，被記録材を，被記録材の記録終了後における被記録材の搬送量よりも小さな搬送量で，前記被記録材を搬送方向上流側または下流側に搬送し停止するので，操作者は，被記録材の切断したい箇所を微調整して切断することができる。
【００３０】
本願請求項８に記載の記録装置は，請求項５または６において，前記搬送ローラが，操作者による手動切断の後，被記録材の切り離された側でない側の先端を前記記録部の記録開始位置に戻すものである，ことを特徴とする。
本願請求項８に記載の発明に係る記録装置によると，搬送ローラが，操作者による手動切断の後，被記録材の切り離された側でない側の先端を記録部の記録開始位置に戻すので，次の記録動作に円滑に進むことができる。
【００３１】
本願請求項９に記載の発明に係る手動カッタ装置は，請求項１から３のいずれか１項に記載の手動カッタ装置であって，前記対応する請求項に記載の手動切断装置に備えられていることを特徴とする。
本願請求項９に記載の発明に係る手動カッタ装置によると，前記対応する請求項に記載の手動切断装置に用いられることにより，前述した本願請求項１から３のいずれか１項に記載の作用効果を得ることができる。
【００３２】
【発明の実施の形態】
＜インク・ジェット・プリンタの構成＞
図１は，本発明に係る「記録装置」としてのインク・ジェット・プリンタ（以下，単に「プリンタ」という。）１００を示す斜視図である。図２は，図１の斜視図において，排紙部３に設けられた排紙板３０の一部破断面を特に示す斜視図である。図３は，プリンタ１００の「記録部」としての印刷部２および排紙部３の右側面図（一部断面図）である。このプリンタ１００は，「被記録材」としてＢ０判程度の印刷用紙まで印刷することができる大型プリンタである。プリンタ１００は，給紙部１，印刷部２，排紙部３，および排紙受け部４を備えるとともに，プリンタ１００全体の動作を制御するプリンタ制御装置（図示略）を備えている。
【００３３】
給紙部１は，その表面に，操作者（利用者）がプリンタ１００を操作するための操作／表示パネル１１と，その内部に，印刷用紙Ｐがロール上に巻かれた着脱自在なロール紙１０を備えている。
【００３４】
操作／表示パネル１１は，種々の操作ボタンと，操作者にメッセージを表示する表示装置とを備えている。種々の操作ボタンには，自動切断ＯＮ／ＯＦＦボタン，排紙ボタン，オンライン／オフライン・ボタン，自動送り／戻し微調整ボタン等が含まれる。各ボタンからは信号線がプリンタ制御装置に接続され，各ボタンを操作者が操作することにより，その操作を表す信号がプリンタ制御装置に与えられる。
【００３５】
自動切断ＯＮ／ＯＦＦボタンは，後述する自動切断装置による印刷用紙Ｐの切断を行うかどうかを切り換えるものである。操作者がこのボタンを操作して自動切断ＯＮ状態に設定すると，プリンタ制御装置は，印刷終了後，自動切断装置が自動的に印刷用紙Ｐを所定の位置で切断するように自動切断装置を制御する。一方，自動切断ＯＦＦ状態に設定すると，プリンタ制御装置は，印刷が終了しても，自動切断装置を作動させず，したがって，印刷用紙Ｐは自動切断装置によっては切断されない。このボタンによる設定は，通常，印刷開始前に操作者によって行われる。
【００３６】
排紙ボタンは，プリンタ１００が自動切断ＯＦＦ状態に設定されている場合に，印刷終了後，印刷用紙Ｐを所定量搬送方向下流側に向けて排紙するものである。この所定量とは，印刷終了時にプラテン２３上に位置する印刷用紙Ｐの印刷終了位置または印刷終了位置よりも上流側近傍位置が，後に詳述する案内溝３１上に配置される搬送量である。
【００３７】
オンライン／オフライン・ボタンは，プリンタ１００と，プリンタ１００に接続された外部のコンピュータ，ワープロ等の印刷画像データ送信装置（図示略）との間の状態をオンライン状態とオフライン状態とに切り換えるものである。
【００３８】
自動送り／戻し微調整ボタンは，印刷用紙Ｐの搬送方向下流側または上流側への微妙な送り操作または戻し操作を行うものであり，印刷用紙Ｐを搬送方向上流側に送る「送り」ボタンと下流側に送る「戻し」ボタンとを有する。このボタンは，プリンタ１００がオフライン状態にある場合に有効に機能する。
【００３９】
印刷部２は，印刷ヘッド２２を備えたキャリッジ２０と，プラテン２３と，印刷用紙Ｐを搬送する紙送りローラ（搬送ローラ）２４と，印刷用紙Ｐがプラテン２３から浮かないように負圧をかけて印刷用紙Ｐを吸引する吸引孔２５と，給紙部１から印刷用紙Ｐを紙送りローラ２４に案内する案内板２９と，プラテン２３の搬送方向下流側近傍に設けられた自動切断装置（図示略）とを備えている。
【００４０】
キャリッジ２０は，図示しないキャリッジ・モータに連結され，このキャリッジ・モータの駆動力により主走査方向（図３の紙面の表裏方向）に往復動するように構成されている。印刷ヘッド２２の印刷用紙Ｐに対向する面には，ヘッド面が設けられ，このヘッド面には，インク滴を吐出する複数のノズルが形成されている。紙送りローラ２４は，図示しない駆動モータに連結され，この駆動モータの駆動力により回転（正転および逆転）する駆動ローラ２４ａと，駆動ローラ２４ａに圧接し，駆動ローラ２４ａの回転に伴い従動回転する従動ローラ２４ｂとを備えている。紙送りローラ２４は，駆動ローラ２４ａと従動ローラ２４ｂとの間で印刷用紙Ｐを挟圧搬送するように構成されている。自動切断装置は，印刷終了後，印刷済みの印刷用紙Ｐの部分を主走査方向に沿って切断するものである。印刷用紙Ｐの切断された部分は，重力によって，排紙部３を経由し排紙受け部４に落下し受け取られる。
【００４１】
キャリッジ・モータによるキャリッジ２０の駆動制御，紙送りモータによる紙送りローラ２４の駆動制御，および自動切断装置の駆動制御は，プリンタ制御装置によって行われる。
【００４２】
また，印刷部２において，紙送りローラ２４の搬送方向上流側近傍には，上流側センサ（反射式の光センサ）２６が設けられ，案内板２９上を搬送されてくる印刷用紙Ｐに向けて光を放射している。この上流側センサ２６から前述したプリンタ制御装置へは信号線が接続されている。上流側センサ２６の上に印刷用紙Ｐが存在すると，当該センサ２６の放射光は，印刷用紙Ｐに反射される。上流側センサ２６は，この反射光を受光することにより，プリンタ制御装置に検知信号を与える。プリンタ制御装置は，この検知信号を受信することにより，印刷用紙Ｐがセットされていることを検出する。
【００４３】
前述した図示しない自動切断装置の下流側近傍には，下流側センサ（反射式の光センサ）２７が設けられ，プラテン２３から排紙されてくる印刷用紙Ｐに向けて光を放射している。この下流側センサ２７からプリンタ制御装置へは信号線が接続されている。自動切断装置によって印刷用紙Ｐが切断されると，印刷用紙Ｐの切断された部分は排紙部３に向けて落下し，当該センサ２７の上には印刷用紙Ｐが存在しなくなる。その結果，当該センサ２７の放射光が印刷用紙Ｐに反射されなくなる。下流側センサ２７は，この反射光を受光しなくなることにより，プリンタ制御装置に検知信号を与える。プリンタ制御装置は，この検知信号を受信することにより，印刷用紙Ｐが切断されたことを検出する。
【００４４】
キャリッジ２０は，印刷用紙Ｐに対向した部分に，印刷用紙Ｐに向けて光を放射するキャリッジ・センサ（反射式の光センサ）２８を備えている。このキャリッジ・センサ２８からプリンタ制御装置へは信号線が接続されている。キャリッジ・センサ２８は，キャリッジ２０の主走査方向への移動に伴い，その放射光が印刷用紙Ｐに反射される反射光の有無を検知し，プリンタ制御装置に信号を与える。これにより，プリンタ制御装置は，印刷用紙Ｐが斜行して搬送されていないかどうか，あるいは，後述する手動による切断において，斜行して切断されていないかどうかを検出する。
【００４５】
紙送りローラ２４によってロール紙１０から繰り出された印刷用紙Ｐは，印刷部２において，副走査方向（排紙される方向）に一定ピッチで搬送される。一方，キャリッジ２０は，主走査方向に往復動しながら印刷ヘッド２２のノズルからインク滴を吐出する。これにより，印刷用紙Ｐに印刷が行われる。
【００４６】
排紙部３には，斜面として形成された排紙板３０が設けられている。排紙板３０は，印刷部２で印刷された印刷用紙Ｐをその表面３２，３２で支持するとともに，排紙受け部４に案内する。また，排紙板３０の排紙方向中央部よりやや下流側には，排紙板３０の左端から右端に亘って（すなわち印刷用紙Ｐの幅方向に），後に詳述する案内溝３１が形成されている。
【００４７】
排紙受け部４には，スタック布４０が取り付けられている。このスタック布４０を床上に広げ，排紙されてくる印刷用紙をスタック布４０上で受け取ることにより，排紙されてくる印刷用紙を汚すことなく受け取ることができる。
【００４８】
＜排紙板の案内溝の構成＞
図４は，排紙板３０の案内溝３１を中心に示す要部側断面図である。排紙板３０の表面３２，３２は，排紙されてくる印刷用紙Ｐを支持し，排紙受け部４に案内する平坦な面として形成されている。
【００４９】
案内溝３１は，第１の側面部３１ａおよび第１の斜面部３１ｂを備えている。第１の側面部３１ａは，印刷用紙Ｐの搬送方向（排紙方向）上流側に，排紙板３０の表面３２に対してほぼ垂直な面として形成されている。第１の斜面部３１ｂは，第１の側面部３１ａの下端（すなわち案内溝３１の底）から搬送方向下流側に向けて次第に（本実施の形態では直線的に）高くなり，表面３２と同じ高さで当該表面３２と連接している。第１の斜面部３１ｂと表面３２との連結部分は，滑らかな曲面を形成するように連接されることが好ましい。これにより，排紙される印刷用紙Ｐの先端が第１の斜面部３１ｂに引っ掛かることなく，当該印刷用紙Ｐを排紙することができるからである。
図４に仮想線（二点鎖線）で示す手動カッタ装置５については，以下に詳述する。
【００５０】
＜手動カッタ装置の構成＞
図５は手動カッタ装置５の斜視図である。図６は手動カッタ装置５の右側面図であり，図７は手動カッタ装置５の左側面図である。図８は図６のＡ−Ａ断面図である。手動カッタ装置５は，合成樹脂等で形成された保持部材（ホルダ）５１と，保持部材５１と一体形成された案内部材５２と，円盤状の回転刃（ロータリー刃）５３とを備えている。
【００５１】
回転刃５３は，その円周端に刃を有し，その中心軸を回転軸線として保持部材５１に対し回転自在に取り付けられている。具体的な取り付けは，回転刃５３の中心部に形成された円形の貫通孔５３ａと，保持部材５１に形成された円形の貫通孔５１ａとに，軸受を兼用する軸受ナット５４を挿通し，軸受ナット５４を挿通した側とは反対の側からネジ５５を，ワッシャ５６を介して軸受ナット５４に螺合することにより行われる。なお，軸受ナット５４が貫通孔５３ａおよび５１ａを挿通する部分（軸受部）の直径（外径）は，貫通孔５３ａおよび５１ａの各内径とほぼ同程度または僅かに小さく形成され，軸受部がこれらの貫通孔５３ａおよび５１ａにぴったりと嵌まり込むように構成されている。
【００５２】
このように，回転刃５３の一方の円盤面（以下「第１の円盤面」という。）５３ｂの中心部およびその周辺部は軸受ナット５４と接触し，回転刃５３の第１の円盤面の裏側に位置する円盤面（以下「第２の円盤面」という。）５３ｃの全体は，保持部材５１と接触している。したがって，回転刃５３は，保持部材５１と軸受ナット５４との間に挟持され，軸受ナット５４とともに回転する。なお，回転刃５３の回転を滑らかにするために，回転刃５３の第２の円盤面５３ｃと保持部材５１との間には，潤滑油が注入されている。
【００５３】
案内部材５２は，側部５２ａと，底部５２ｂと，当接部５２ｃとを備えている。側部５２ａは，回転刃５３の第１の円盤面５３ｂとほぼ同じ高さの面として形成されている。底部５２ｂは，側部５２ａに対してほぼ垂直な平面として形成され，側部５２ａの下端から回転刃５３の円周端外側（図５から図８における回転刃５３の下側）を経由して第２の円盤面５３ｃの側に延設され，第２の円盤面５３ｃよりも突出して形成されている。突出した先端部５２ｃからは，第２の円盤面５３ｃの側に向かって斜面５２ｄが形成され，この斜面５２ｄは，第２の円盤面５３ｃの手前で，保持部材５１と一体的に連接している。なお，端部５２ｃは，後述するように，案内部材５２が案内溝３１に嵌め込まれた場合に，案内溝３１の第１の斜面部３１ｂと当接する当接部となる。
【００５４】
案内部材５２は，案内溝３１に嵌め込まれて，その側部５２ａを案内溝３１の第１の側面部３１ａと対抗接触させ，かつ，当接部５２ｃを第１の斜面部３１ｂに当接させた状態において，回転刃５３の案内部材５２に近い側の部分（すなわち回転刃５３の下端部）が案内溝３１に嵌まり込むように構成されている。
【００５５】
保持部材５１と案内部材５２との間には，切断すべき印刷用紙Ｐを回転刃５３の刃に案内する間隙５７が形成されている。この間隙５７は，案内部材５２の側部５２ａを案内溝３１の第１の側面部３１ａに対向接触させ，かつ，当接部５２ｃを第１の斜面部３１ｂに当接させて，案内部材５２を案内溝３１に嵌め込んだ状態（すなわち図４の仮想線で示す状態）において，排紙板３０の表面３２，３２とほぼ同じ高さの位置に形成されている。これにより，手動カッタ装置５を案内溝３１に嵌め込んだ時に，排紙板３０の表面３２，３２上にある印刷用紙Ｐが間隙５７とほぼ同じ位置になる。その結果，手動カッタ装置５を案内溝３１に摺動させた時に，印刷用紙Ｐは回転刃５３にスムースに案内されて，切断操作が容易に行われる。また，手動カッタ装置５は，この間隙５７を介してのみ回転刃５３の刃の部分に接触可能であり，それ以外の刃の部分を保持部材５１および案内部材５２によって覆う構造となっている。したがって，この構造により，操作者の安全も確保されている。
【００５６】
なお，手動カッタ装置５は，たとえばプリンタ１００の手前または側面のフック（図示略）にチェーン紐用孔５９に通されたチェーン紐５０によって吊り下げておくことができる。
【００５７】
＜手動カッタ装置および案内溝を利用した印刷用紙の切断操作＞
排紙板３０上を排紙されてくる印刷用紙Ｐを手動カッタ装置５によって切断する場合に，操作者（たとえばプリンタ利用者）は，まず，プリンタ１００を操作して，その印刷用紙Ｐの排紙動作を停止させる。あるいは，プリンタ１００は，印刷用紙Ｐに一定の印刷画像を印刷した後，自動的に排紙動作を停止するように構成されている。
【００５８】
排紙動作が停止した状態で，手動カッタ装置５が，操作者によって，案内溝３１のうち，プリンタ１００の正面に向かって左側端部の，印刷用紙Ｐによって覆われていない任意の部分に嵌め込まれる。この手動カッタ装置５の嵌め込みは，前述した図４に示すように，案内部材５２の側部５２ａを案内溝３１の第１の側面部３１ａに対向接触させた状態で，当接部５２ｃが第１の斜面部３１ｂに当接するまで行われる。
【００５９】
これにより，回転刃５３の第１の円盤面５３ｂは，第１の側面部３１ａに当接する。また，案内部材５２の側部５２ａを第１の側面部３１ａに沿って嵌め込む力（すなわち，表面３２に対して垂直で，案内溝３１の底に向かう方向の力）は，当接部５２ｃが第１の斜面部３１ｂに当接することによって分解され，分解された力（分力）は，側部５２ａおよび第１の円盤面５３ｂを第１の側面部３１ａに押圧させる力となる。これにより，案内部材５２を，表面３２に対してほぼ垂直に案内溝３１に嵌め込むだけで，回転刃５３の第１の円盤面５３ｂを第１の側面部３１ａに押圧させることができる。その結果，第１の円盤面５３ｂと第１の側面部３１ａとが密着するので，回転刃５３による印刷用紙Ｐの切断が容易となる。
【００６０】
続いて，手動カッタ装置５を案内溝３１の左端から右端へ向けて摺動させることにより，印刷用紙Ｐの左端が間隙５７に入り込んで回転刃５３に案内され，印刷用紙Ｐは，その左端から右端に向けて順次切断されて行く。このようにして，印刷用紙Ｐの切断が行われる。切断により切り離された印刷用紙Ｐは，排紙受け部４（図１および図２参照）に受け取られる。
【００６１】
＜印刷用紙の切断操作＞
図９から図１１は，印刷終了後の印刷用紙Ｐの切断操作の流れを示すフローチャートである。印刷が終了すると（図９のステップＳ０），プリンタ制御装置は，操作／表示パネル１１（図１参照）の自動切断ＯＮ／ＯＦＦボタンにより，プリンタ１００が自動切断ＯＮ状態に設定されているのかＯＦＦ状態に設定されているのかを判断する（ステップＳ１）。ＯＦＦ状態に設定されている場合には（ステップＳ１でＯＦＦ），操作者による排紙ボタンの入力待ち状態となる（ステップＳ３）。操作者によって排紙ボタンが入力されると（ステップＳ３でＹｅｓ），プリンタ制御装置は，印刷用紙Ｐを所定量（印刷用紙Ｐの印刷終了位置または印刷終了位置よりも上流側近傍位置が案内溝３１に達する搬送量）排紙する。これにより，印刷終了位置または印刷終了位置よりも上流側近傍位置が案内溝３１上に位置することとなる。その後，プリンタ制御装置は，プリンタ１００をオフライン状態に設定する。これにより，プリンタ１００の外部から印字信号が入力されても，プリンタ１００はその印字信号を受け付けない状態となる。
【００６２】
プリンタ１００がオフライン状態に設定された後，操作者によって自動送り／戻し微調整ボタンが入力されると（ステップＳ９でＹｅｓ），印刷用紙Ｐが紙送りローラ２４によって搬送方向上流側または下流側にそれぞれ僅かに搬送され，操作者は，所望の位置で印刷用紙Ｐを停止させることができる。
【００６３】
その後，操作者は，手動切断装置５を案内溝３１に沿って操作することにより印刷用紙Ｐを切断する（ステップＳ１３）。切断後，操作者によるオンライン／オフライン・ボタンの入力待ち状態となる（図１１のステップＳ２５）。操作者がオンライン／オフライン・ボタンを入力すると（ステップＳ２５でＹｅｓ），プリンタ制御装置は，プリンタ１００をオンライン状態に設定する。
【００６４】
その後，プリンタ制御装置は，印刷用紙Ｐの先端を頭出し位置（記録開始位置）に戻す頭出し操作を行う（ステップＳ２９）。すなわち，操作者による印刷用紙Ｐの切断後において，ロール紙１０から繰り出された印刷用紙Ｐの先端は案内溝３１の位置にあるので，プリンタ制御装置は，この先端を頭出し位置まで戻す。「頭出し位置」は，下流側センサ２７よりも上流側であって，かつ，印刷ヘッド２２の最も下流側に配置されたノズルから下流側に３ｍｍ（または１５ｍｍ）の位置をいう。
【００６５】
この頭出し操作は，次のようにして行われる。すなわち，紙送りローラ２４が逆転して印刷用紙Ｐが上流側に戻され，印刷用紙Ｐは，その先端が頭出し位置よりも上流側であって，かつ，キャリッジ・センサ２８よりも下流側に位置するように配置される。その後，キャリッジ２０が主走査方向に移動して，キャリッジ・センサ２８が，印刷用紙Ｐの先端が斜行していないかどうかを検知する。斜行している場合には，印刷用紙Ｐの再セット，または，再度の手動切断を行うことを操作者に促すメッセージが，操作／表示パネル１１に表示される。斜行していない場合には，紙送りローラ２４が正転して，印刷用紙Ｐが下流側にの先端が頭出し位置に設定される。
【００６６】
続いて，次の印刷のための印字信号入力待ち状態となり（ステップＳ３１），印字信号が入力されると（ステップＳ３１でＹｅｓ），プリンタ制御装置は印刷用紙Ｐに印刷を行うようにプリンタ１００を制御し，これにより次の印刷が行われる（ステップＳ３３）。
【００６７】
ステップＳ１において，プリンタ１００が自動切断ＯＦＦ状態に設定されている場合には（ステップＳ１でＯＮ），自動切断装置により切断が行われる（図１０のステップＳ１９）。続いて，次の印刷のための印字信号入力待ち状態となり（ステップＳ２１），印字信号が入力されると（ステップＳ２１でＹｅｓ），プリンタ制御装置は印刷用紙Ｐに印刷を行うようにプリンタ１００を制御し，これにより次の印刷が行われる（ステップＳ２３）。
【００６８】
ステップＳ３において，排紙ボタンの入力がない場合には，プリンタ制御装置は，次の印刷のための印字信号の入力があるかどうかを判定する（ステップＳ１５）。印字信号の入力がない場合には（ステップＳ１５でＮｏ），再び排紙ボタンの入力があるかどうかを判定し，印字信号の入力がある場合には（ステップＳ１５でＹｅｓ），次の印刷が開始される（ステップＳ１７）。
【００６９】
＜案内溝の他の実施の形態＞
図１２および図１３は，ともに，排紙板３０の案内溝３１の他の実施の形態を示す側断面図である。これらの図において，図４と同じ構成要素には図４と同じ符号を付している。
【００７０】
図１２において，案内溝３１は，第１の側面部３１ａの下端から搬送方向下流側に向けて次第に深くなる第２の斜面部３１ｃをさらに備えている。また，第１の斜面部３１ｂは，第２の斜面部３１ｃの底から搬送方向下流側に向けて次第に高くなるように形成されている。
【００７１】
この案内溝３１および案内部材５２は，案内部材５２を，その側部５２ａ（図７参照）を第１の側面部３１ａに対抗接触させた状態で案内溝３１に嵌め込んで，側部５２ａの下端（すなわち底部５２ｂ（図７参照）との連接部）を第１の側面部３１ａと第２の斜面部３１ｃとの連接部に当接させると，案内部材５２の当接部５２ｃ（図７参照）が第１の斜面部３１ｂに当接し，かつ，間隙５７が表面３２，３２とほぼ高さの位置となるように構成されている。
【００７２】
当接部５２ｃが第１の斜面部３１ｂに当接することにより，案内部材５２を表面３２に対して垂直方向に案内溝３１に嵌め込むだけで，側部５２ａおよび回転刃５３の第１の円盤面５３ｂを第１の側面部３１ａに当接（押圧）させる力が得られる。これにより，第１の円盤面５３ｂが第１の側面部３１ａに密着するので，印刷用紙Ｐの切断が容易となる。
【００７３】
また，側部５２ａの下端（すなわち底部５２ｂとの連接部）が第１の側面部３１ａと第２の斜面部３１ｃとの連接部に当接するので，案内部材５２の案内溝３１に沿った摺動が安定する。これにより，印刷用紙Ｐの切断面が第１の側面部３１ａから逸れたり，切断されない箇所が生じることなく，印刷用紙Ｐの安定した切断が可能となる。
【００７４】
次に，図１３において，案内溝３１は，第１の側面部３１ａの底から搬送方向下流側に向けて表面３２，３２とほぼ平行に形成された底面部３１ｄと，底面部３１ｄの下流側の端部から表面３２，３２に対してほぼ垂直に立ち上がり，その高さが第１の側面部３１ａよりも低い第２の側面部３１ｅとをさらに備えている。第１の斜面部３１ｂは，第２の側面部３１ｅの上端から搬送方向下流側に向けて次第に高くなるように形成されている。
【００７５】
この案内溝３１および案内部材５２は，案内部材５２を，その側部５２ａを第１の側面部３１ａに対抗接触させた状態で案内溝３１に嵌め込んだ場合に，底部５２ｂが底面部３１ｄと接触するとともに，当接部５２ｃが第２の側面部３１ｅに当接し，かつ，間隙５７が表面３２，３２とほぼ高さの位置となるように構成されている。
【００７６】
底部５２ｂが底面部３１ｄと接触するとともに，当接部５２ｃが第２の側面部３１ｅに当接することにより，案内部材５２は，案内溝３１に沿って安定した摺動を行うことができる。また，当接部５２ｃが第２の側面部３１ｅに当接することにより，第１の円盤面５３ｂが第１の側面部３１ａに密着するので，印刷用紙Ｐの切断が容易となる。
【００７７】
図１２および図１３に示す案内溝３１において，手動カッタ装置５を用いた印刷用紙Ｐの切断操作は，前述した図３に示す案内溝３１におけるものと同じである。
【００７８】
なお，第１の斜面部３１ｂは，必ずしも直線的な斜面として形成されている必要はなく，曲線的な斜面として形成されていてもよい。また，第２の斜面部３１ｃについても同様である。
【００７９】
【発明の効果】
本発明によると，記録装置の大型化および構造の複雑化を回避できる。また，排紙板に設けられた案内溝と手動カッタ装置という簡単な構造によって被記録材を切断することができる。
【図面の簡単な説明】
【図１】本発明に係る「記録装置」としてのインク・ジェット・プリンタを示す斜視図である。
【図２】図１の斜視図において，排紙部に設けられた排紙板の一部破断面を特に示す斜視図である。
【図３】プリンタの印刷部および排紙部の右側面図（一部断面図）である。
【図４】排紙部の排紙板の案内溝を中心に示す要部側断面図である。
【図５】手動カッタ装置の斜視図である。
【図６】手動カッタ装置の右側面図である。
【図７】手動カッタ装置の左側面図である。
【図８】図５のＡ−Ａ断面図である。
【図９】印刷終了後の印刷用紙の切断操作の流れを示すフローチャートである。
【図１０】印刷終了後の印刷用紙の切断操作の流れを示すフローチャートである。
【図１１】印刷終了後の印刷用紙の切断操作の流れを示すフローチャートである。
【図１２】案内溝の他の実施の形態を示す断面図である。
【図１３】案内溝の他の実施の形態を示す断面図である。
【図１４】（ａ）は，従来のプリンタに設けられた自動切断装置の正面図であり，（ｂ）は，その斜視図である。
【符号の説明】
１００  インク・ジェット・プリンタ
Ｐ  印刷用紙
２  印刷部
３  排紙部
１０  ロール紙
１１  操作／表示パネル
２４  紙送りローラ（搬送ローラ）
３０  排紙板
３１  案内溝
３１ａ  第１の側面部
３１ｂ  第１の斜面部
３１ｃ  第２の斜面部
３１ｄ  底面部
３１ｅ  第２の側面部
３２  表面
５  手動カッタ装置
５１  保持部材
５２  案内部材
５２ａ  側部
５２ｂ  底部
５２ｃ  当接部
５３  回転刃
５３ｂ  第１の円盤面
５３ｃ  第２の円盤面
５７  間隙
【図１】
0004344905.tif 000002
【図２】
0004344905.tif 000003
【図３】
0004344905.tif 000004
【図４】
0004344905.tif 000005
【図５】
0004344905.tif 000006
【図６】
0004344905.tif 000007
【図７】
0004344905.tif 000008
【図８】
0004344905.tif 000009
【図９】
0004344905.tif 000010
【図１０】
0004344905.tif 000011
【図１１】
0004344905.tif 000012
【図１２】
0004344905.tif 000013
【図１３】
0004344905.tif 000014
【図１４】
0004344905.tif 000015